(57)【特許請求の範囲】
【請求項１】
記録紙に印字を行うプリントヘッド及びプラテンローラを有するプリンタ本体部と、
前記記録紙を切断するカッター部と、
前記カッター部と接続されているプレゼンタ部と、
を有し、
前記プリントヘッドにより印字のなされた記録紙は、前記カッター部を介し、前記プレゼンタ部に入り、前記プレゼンタ部の排紙口より排紙され、
前記プレゼンタ部は、
前記記録紙を挟み搬送する第１のローラ及び第２のローラと、
前記第１のローラ及び前記第２のローラと前記カッター部との間において、前記記録紙の搬送経路の下側に設けられ、前記搬送経路を開閉するフラッパと、を備え、
前記フラッパより排紙される記録紙が回収される複数の回収ボックスを有し、
前記フラッパの開く角度を調節することにより、前記記録紙が、前記複数の回収ボックスのうちのいずれかの回収ボックスに搬送されることを特徴とするプリンタ装置。
【請求項２】
前記印字のなされた記録紙は、前記フラッパが開いた際には、前記フラッパと記録紙案内部材との間を通り、前記複数の回収ボックスのうちのいずれかの回収ボックスに搬送されることを特徴とする請求項１に記載のプリンタ装置。
【請求項３】
前記回収ボックスには、前記フラッパの位置を検出するための回収位置検出センサが各々設けられていることを特徴とする請求項１または２に記載のプリンタ装置。
【請求項４】
前記プレゼンタ部には、フラッパ開閉モータが設けられており、
前記フラッパ開閉モータを駆動することにより、前記フラッパが開く角度を調整することを特徴とする請求項１から３のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。レシート等を発行するプリンタは、記録紙となる感熱紙を搬送しながらサーマルヘッド等により記録紙に印字等を行ない、所定の長さまで記録紙を搬送した後、カッターにより所定の長さで記録紙が切断される。カッターでは、固定刃と可動刃とを有しており、可動刃が固定刃が設けられている側に動くことにより、固定刃と可動刃との間に挟まれた記録紙が切断される。このようなプリンタには、印字のなされた記録紙を抜き取るために設けられたプレゼンタが接続されている場合がある。
【先行技術文献】
【特許文献】
【０００３】
【特許文献１】特開２００３−１９８４５号公報
【発明の概要】
【発明が解決しようとする課題】
【０００４】
ところで、サーマルプリンタ等のプリンタ装置においては、印字のなされた記録紙の用途等が異なる場合、用途等ごとに分類し収納することのできるものが求められているが、このように印字のなされた記録紙を分類し収納することのできるプリンタ装置の多くは大型なものである。よって、印字のなされた記録紙を分類し収納することのできるプリンタ装置であって、小型で低コストなものが求められている。
【課題を解決するための手段】
【０００５】
本実施の形態の一観点によれば、記録紙に印字を行うプリントヘッド及びプラテンローラを有するプリンタ本体部と、前記記録紙を切断するカッター部と、前記カッター部と接続されているプレゼンタ部と、を有し、前記プリントヘッドにより印字のなされた記録紙は、前記カッター部を介し、前記プレゼンタ部に入り、前記プレゼンタ部の排紙口より排紙され、前記プレゼンタ部は、前記記録紙を挟み搬送する第１のローラ及び第２のローラと、前記第１のローラ及び前記第２のローラと前記カッター部との間において、前記記録紙の搬送経路の下側に設けられ、前記搬送経路を開閉するフラッパと、を備え、前記フラッパより排紙される記録紙が回収される複数の回収ボックスを有し、前記フラッパの開く角度を調節することにより、前記記録紙が、前記複数の回収ボックスのうちのいずれかの回収ボックスに搬送されることを特徴とする。
【発明の効果】
【０００６】
本発明によれば、小型で低コストで、印字のなされた記録紙を分類し収納することのできるプリンタ装置を提供することができる。
【図面の簡単な説明】
【０００７】
【図１】本実施の形態におけるプリンタ装置の構造図
【図２】本実施の形態におけるプリンタ装置の要部拡大図
【図３】本実施の形態におけるプリンタ装置の斜視図
【図４】本実施の形態におけるプリンタ装置の上面図
【図５】本実施の形態におけるプリンタ装置の正面図
【図６】本実施の形態におけるプリンタ装置の断面図（１）
【図７】本実施の形態におけるプリンタ装置の断面図（２）
【図８】本実施の形態におけるプリンタ装置の記録紙搬送ガイドの斜視図
【図９】本実施の形態におけるプリンタ装置の説明図
【図１０】本実施の形態におけるプリンタ装置の回収ボックスの構造図
【図１１】本実施の形態におけるプリンタ装置の回収ボックスの説明図（１）
【図１２】本実施の形態におけるプリンタ装置の回収ボックスの説明図（２）
【図１３】本実施の形態におけるプリンタ装置の回収ボックスの説明図（３）
【図１４】記録紙案内部材の説明図（１）
【図１５】記録紙案内部材の説明図（２）
【図１６】記録紙案内部材の説明図（３）
【図１７】記録紙案内部材の説明図（４）
【図１８】フラッパに設けられた記録紙案内部の説明図
【図１９】本実施の形態におけるプリンタ装置のフラッパの開閉の説明図（１）
【図２０】本実施の形態におけるプリンタ装置のフラッパの開閉の説明図（２）
【図２１】本実施の形態におけるプリンタ装置のフラッパの開閉の説明図（３）
【図２２】本実施の形態におけるプリンタ装置のフラッパの開閉の説明図（４）
【図２３】本実施の形態におけるプリンタ装置のフラッパの開閉の説明図（５）
【図２４】本実施の形態におけるプリンタ装置のフラッパの開閉の説明図（６）
【図２５】本実施の形態におけるプリンタ装置のフラッパの開閉の説明図（７）
【図２６】本実施の形態におけるプリンタ装置のフラッパの開閉の説明図（８）
【発明を実施するための形態】
【０００８】
本発明を実施するための形態について、以下に説明する。尚、同じ部材等については、同一の符号を付して説明を省略する。
【０００９】
（プリンタ装置）
本実施の形態におけるプリンタ装置について、図１から図７に基づき説明する。図１は、本実施の形態におけるプリンタ装置の構造を示す概要図であり、図２は、図１の要部拡大図である。また、図３は、本実施の形態におけるプリンタ装置の斜視図であり、図４は上面図であり、図５は正面図である。また、図６は、図４における一点鎖線４Ａ−４Ｂにおいて切断した断面図であり、図７は、図４における一点鎖線４Ｃ−４Ｄにおいて切断した断面図である。尚、図１、図２、図６においては、記録紙の搬送経路をわかりやすくするため、記録紙１０を記載している。
【００１０】
本実施の形態におけるプリンタ装置は、ロール状に巻かれた記録紙１０に印字をするものであって、プリンタ本体部２０、カッター部３０、プレゼンタ部４０を有している。尚、本実施の形態においては、プリンタ本体部２０とカッター部３０とが接続されており、カッター部３０とプレゼンタ部４０とが接続されている。
【００１１】
通常、プレゼンタ部４０は、サーマルヘッド２１により印字のなされた記録紙１０がカッター部３０を介して入っており、カッター部３０により所定の長さで切断された記録紙１０は、排紙口４６よりプレゼンタ部４０において人が抜き取ることができる状態で一部が露出している。この状態において、人が記録紙１０を抜き取れば、プリンタ装置における印字動作は終了する。一方、この状態において、所定の時間が経過しても人が記録紙１０を抜き取らなければ、印字のなされた記録紙１０はプレゼンタ部４０において回収される動作が行われる。本実施の形態におけるプリンタ装置では、このプレゼンタ部４０において、印字のなされた記録紙１０を分類して収納する機能を備えている。
【００１２】
プリンタ本体部２０では、記録紙１０に印字を行うためのプリントヘッドであるサーマルヘッド２１、プラテンローラ２２、記録紙１０を搬送するための搬送モータ２３を有している。記録紙１０は、不図示の搬送口よりプリンタ本体部２０に入れられる。カッター部３０は、固定刃３１、可動刃３２、可動刃３２を駆動するための可動刃用モータ３３、可動刃用モータ３３の回転による動力を可動刃３２に伝達するための不図示のギア等を有している。
【００１３】
プリンタ本体部２０においては、サーマルヘッド２１とプラテンローラ２２との間に記録紙１０が挟まれた状態で、搬送モータ２３によりプラテンローラ２２を回転させることにより、記録紙１０が搬送される。よって、記録紙１０は、プラテンローラ２２の回転により搬送されながら、サーマルヘッド２１により印字される。
【００１４】
この後、印字のなされた記録紙１０は、カッター部３０において切断される。具体的には、記録紙１０が所定の位置まで搬送された後、可動刃用モータ３３を回転させて可動刃３２を駆動し、可動刃３２を固定刃３１が設けられている側に動かすことにより、記録紙１０を固定刃３１と可動刃３２とにより切断する。
【００１５】
プレゼンタ部４０には、印字のなされた記録紙を搬送するための第１のローラ４１、第２のローラ４２、第３のローラ４３、第４のローラ４４、搬送モータ４５、フラッパ５０、記録紙搬送ガイド６０が設けられている。第１のローラ４１は第２のローラ４２と、第３のローラ４３は第４のローラ４４と、それぞれ対向して配置されている。第１のローラ４１及び第３のローラ４３は、搬送モータ４５が回転することにより不図示のギアを介して回転する。第１のローラ４１と接触している第２のローラ４２は第１のローラ４１の回転に伴い回転し、第３のローラ４３と接触している第４のローラ４４は第３のローラ４３の回転に伴い回転する。これにより、第１のローラ４１と第２のローラ４２との間、第３のローラ４３と第４のローラ４４との間に挟まれている記録紙１０がプレゼンタ部４０の内部において搬送される。
【００１６】
記録紙１０は、用途等によって長さが異なるため、その切断位置も異なる。しかしながら、プレゼンタ部４０の内部における記録紙１０の搬送経路の長さは一定であるため、切断される記録紙１０の長さが搬送経路の長さよりも長い場合には、プレゼンタ部４０において記録紙１０を撓ませた後に切断することが求められる。このため、本実施の形態においては、図７において破線で示されるように、プレゼンタ部４０に設けられたフラッパ５０が矢印で示される方向にプレゼンタ部４０の外側に開き、印字のなされた記録紙１０をプレゼンタ部４０の外に撓ませる。これにより、プレゼンタ部４０の内部における搬送経路の長さよりも、排出する記録紙１０の長さの方が長い場合であっても、所望の長さで記録紙１０を切断することができる。
【００１７】
フラッパ５０は、回転軸５０ａを中心に回転可能な状態でプレゼンタ部４０に接続されており、プレゼンタ部４０の内部に設けられたフラッパ開閉モータ５２を回転することにより、フラッパ５０を開閉させることができる。具体的には、プレゼンタ部４０の内部には、フラッパ開閉モータ５２のギア５２ａに接続される第１のギア５３、第２のギア５４、第３のギア５５、第４のギア５６が設けられている。従って、フラッパ開閉モータ５２を回転させることにより、フラッパ開閉モータ５２のギア５２ａ、第１のギア５３、第２のギア５４、第３のギア５５、第４のギア５６を回転させて、フラッパ５０を回転軸５０ａを中心に回転させ開くことができる。
【００１８】
本実施の形態におけるプリンタ装置には、図２等に示されるように、プレゼンタ部４０に記録紙搬送ガイド６０が設けられている。記録紙搬送ガイド６０はプレゼンタ部４０の内部のフラッパ５０よりも内側に設けられており、フラッパ５０が閉じている状態ではフラッパ５０により支持されている。記録紙搬送ガイド６０は、記録紙１０の搬送経路を挟んで、フラッパ５０と対向するように配置されている。従って、記録紙搬送ガイド６０は、記録紙１０の搬送経路の内側に配置されており、フラッパ５０は、記録紙１０の搬送経路の外側に配置されている。フラッパ５０が開くと、フラッパ５０による支持がなくなるため、記録紙搬送ガイド６０も開く。尚、フラッパ５０が閉じており、フラッパ５０と記録紙搬送ガイド６０との間に記録紙１０が入っている状態においては、記録紙搬送ガイド６０は、記録紙１０を介してフラッパ５０により支持されている。
【００１９】
また、本実施の形態においては、第１のローラ４１と第３のローラ４３との間には、搬送経路の第１のローラ４１と第３のローラ４３との間に記録紙１０が存在しているか否かを検出するための記録紙センサ５１が設けられている。
【００２０】
記録紙搬送ガイド６０は、その自重により開くものであってもよく、またバネ等の復元力を有する部材を設けバネ等の復元力より開くものであってもよい。
図８に示されるように、記録紙搬送ガイド６０は、プレゼンタ部４０に記録紙搬送ガイド６０を取り付けるための取り付け部材６１に回転可能な状態で接続されている。具体的には、記録紙搬送ガイド６０は、記録紙１０をガイドするガイド部６０ａを有しており、記録紙搬送ガイド６０に設けられた回転軸６０ｂを中心に回転することにより、ガイド部６０ａの向きを変えることができる。ガイド部６０ａが図２図示の下に動くことにより記録紙搬送ガイド６０が開き、記録紙１０を搬送する方向をプレゼンタ部４０の外側に変えることができる。
【００２１】
本実施の形態においては、図９に示すように、フラッパ５０が開いた際に、フラッパ５０に連動して動作する記録紙案内部材７０が設けられている。記録紙案内部材７０は、プレゼンタ部４０に設置されており、印字のなされた記録紙１０は、フラッパ５０と記録紙案内部材７０との間を通り搬送される。即ち、本実施の形態においては、フラッパ５０が閉じている場合には、閉じている状態のフラッパ５０と記録紙案内部材７０との搬送経路を印字のなされた記録紙１０が通る。よって、記録紙案内部材７０は、印字のなされた記録紙１０を介し反対側に設けられている。このため、後述するように、フラッパ５０が開いた状態においては、印字のなされた記録紙１０は、フラッパ５０と記録紙案内部材７０との間を通り、後述する複数の回収ボックスのうちのいずれかに搬送される。尚、図９（ｂ）は、図９（ａ）において一点鎖線９Ａで囲まれた部分における拡大図である。
【００２２】
また、本実施の形態においては、図１０に示すように、印字のなされた記録紙１０を分類し収納するための複数の回収ボックス、即ち、第１の回収ボックス８１、第２の回収ボックス８２、第３の回収ボックス８３が設けられている。記録紙１０を回収する場合、印字のなされた記録紙１０は、カッター部３０において切断された後、フラッパ５０と記録紙案内部材７０との間を通り第１の回収ボックス８１、第２の回収ボックス８２、第３の回収ボックス８３のうちのいずれかに収納される。尚、各々の回収ボックスには、フラッパ５０の位置を検出するためのセンサが設けられている。センサには、例えば反射型の光学式センサが用いられる。第１の回収ボックス８１には第１の回収位置検出センサ８１ａが設けられており、第２の回収ボックス８２には第２の回収位置検出センサ８２ａが設けられており、第３の回収ボックス８３には第３の回収位置検出センサ８３ａが設けられている。
【００２３】
本実施の形態においては、フラッパ５０が開く角度を変化させることにより、回収される記録紙１０を、所定の回収ボックス、即ち、第１の回収ボックス８１、第２の回収ボックス８２、第３の回収ボックス８３のうちのいずれかに入れる。記録紙１０を所定の回収ボックスに入れる際には、搬送モータ４５を逆回転させて、プレゼンタ部４０の搬送経路内における記録紙１０を逆方向、つまり回収ボックスに向かう方向に搬送する。
【００２４】
フラッパ５０を開く角度が最も大きい場合には、搬送モータ４５を逆回転させることにより、図１１に示すように、プレゼンタ部４０の搬送経路内における印字のなされた記録紙１０は、プレゼンタ部４０よりフラッパ５０を介し第１の回収ボックス８１内に搬送される。この際、記録紙１０が第１の回収ボックス８１に入るようにフラッパ５０の角度が調整されて開いているため、記録紙１０は、フラッパ５０と記録紙案内部材７０との間を通り搬送され、第１の回収ボックス８１内に入れられる。尚、第１の回収ボックス８１等には、印字のなされた記録紙１０が第１の回収ボックス８１内に搬送されるような状態にフラッパ５０が開いているか否かを検出するための第１の回収位置検出センサ８１ａが設けられている。
【００２５】
また、図１２に示すように、図１１に示す場合よりもフラッパ５０の開く角度が小さい場合には、搬送モータ４５を逆回転させることにより、印字のなされた記録紙１０は、プレゼンタ部４０より、フラッパ５０を介し、第２の回収ボックス８２内に搬送される。この際、印字のなされた記録紙１０が第２の回収ボックス８２に入るようにフラッパ５０の角度が調整されて開いているため、印字のなされた記録紙１０は、フラッパ５０と記録紙案内部材７０との間を通り搬送され、第２の回収ボックス８２内に入れられる。尚、第２の回収ボックス８２等には、印字のなされた記録紙１０が第２の回収ボックス８２内に搬送されるような状態にフラッパ５０が開いているか否かを検出するための第２の回収位置検出センサ８２ａが設けられている。
【００２６】
また、図１３に示すように、図１２に示す場合よりもフラッパ５０の開く角度が狭い場合には、搬送モータ４５を逆回転させることにより、印字のなされた記録紙１０は、プレゼンタ部４０より、フラッパ５０を介し、第３の回収ボックス８３内に搬送される。この際、印字のなされた記録紙１０が第３の回収ボックス８３に入るようにフラッパ５０の角度が調整されて開いているため、印字のなされた記録紙１０は、フラッパ５０と記録紙案内部材７０との間を通り搬送され、第３の回収ボックス８３内に入れられる。尚、第３の回収ボックス８３等には、印字のなされた記録紙１０が第３の回収ボックス８３内に搬送されるような状態にフラッパ５０が開いているか否かを検出するための第３の回収位置検出センサ８３ａが設けられている。
【００２７】
このようにして、本実施の形態におけるプリンタ装置においては、印字のなされた記録紙１０を第１の回収ボックス８１、第２の回収ボックス８２、第３の回収ボックス８３のいずれかに用途等に応じて分類し収納することができる。尚、本実施の形態においては、プレゼンタ部４０に設けられたフラッパ５０を用いて、記録紙１０を分類するため、印字のなされた記録紙１０の長さが長い場合においても分類して収納することができる。
【００２８】
（記録紙案内部材７０）
記録紙案内部材７０は、フラッパ５０が設けられている側に向けて、フラッパ５０が開いた際に、記録紙案内部材７０もフラッパ５０に連動して動くように、バネ等により加圧されている。図１４に示すように、記録紙案内部材７０は、コイルバネ７１の復元力によりフラッパ５０が設けられている側に加圧されるものとしてもよい。また、図１５に示すように、記録紙案内部材７０は、ねじりコイルバネ７２によりフラッパ５０が設けられている側に加圧されていてもよい。また、図１６に示すように、記録紙案内部材７０は、板バネ７３によりフラッパ５０が設けられている側に加圧されていてもよい。更には、図１７に示すように、バネ性を有する金属等の材料により記録紙案内部材７５を形成してもよい。また、図１８に示すように、フラッパ５０に、記録紙案内部材として機能する記録紙案内部７０ａを設けてもよい。図１８の場合、記録紙１０は、フラッパ５０に設けられた記録紙案内部７０ａ内、またはフラッパ５０と記録紙案内部７０ａとの間を通り搬送される。
【００２９】
（記録紙の搬送）
次に、本実施の形態におけるプリンタ装置における記録紙１０の搬送動作について説明する。尚、本実施の形態におけるプリンタ装置の動作は、不図示の制御部における制御に基づき行われる。尚、図１９から図２４においては、便宜上、第１の回収ボックス８１、第２の回収ボックス８２、第３の回収ボックス８３は省略されている。
【００３０】
最初に、図１９に示すように、サーマルヘッド２１により印字のなされた記録紙１０は、カッター部３０の内部を通った後、プレゼンタ部４０の内部の搬送経路内に入る。この際、記録紙１０は、プレゼンタ部４０の内部に設けられている第１のローラ４１と第２のローラ４２との間に挟まれて搬送される。図１９の状態ではフラッパ５０は閉じられており、これに伴い記録紙搬送ガイド６０も閉じられている。フラッパ５０はプレゼンタ部４０の内部の搬送経路の下側に設けられており、記録紙搬送ガイド６０は記録紙１０の搬送経路の上側に設けられている。よって、記録紙１０は、フラッパ５０と記録紙搬送ガイド６０との間を通る。図１９の状態では、第１のローラ４１と第３のローラ４３との間に設けられた記録紙センサ５１により記録紙１０は検出されていないため、フラッパ５０は閉じたままであり、第１のローラ４１及び第２のローラ４２は回転している。図１９（ｂ）は、図１９（ａ）において一点鎖線１９Ａで囲まれた部分における拡大図である。
【００３１】
次に、図２０に示すように、図１９の状態から更に記録紙１０が第１のローラ４１と第２のローラ４２により搬送されると、記録紙１０は、記録紙センサ５１が設けられている部分まで到達し、記録紙センサ５１により記録紙１０が検出される。記録紙センサ５１により記録紙１０が検出されると、第１のローラ４１の回転を停止して第１のローラ４１よりも先の搬送経路への記録紙１０の搬送を停止するとともに、フラッパ５０を開く。図２０の状態においては、記録紙１０の先端部分は、第１のローラ４１と第２のローラ４２に挟まれてグリップされている。尚、図２０（ｂ）は、図２０（ａ）において一点鎖線２０Ａで囲まれた部分における拡大図である。
【００３２】
次に、図２０のように第１のローラ４１の回転を停止し、フラッパ５０が開かれた状態で、サーマルヘッド２１により印字のなされた記録紙１０を更に搬送し、カッター部３０の内部を通った後、プレゼンタ部４０の内部に搬送する。即ち、記録紙１０は、プラテンローラ２２の回転によりプレゼンタ部４０に向けて搬送される。しかしながら、第１のローラ４１の回転が停止しているため、図２１に示すように、記録紙１０は、フラッパ５０が開いている部分より、プレゼンタ部４０の外に出て撓む。尚、図２１（ｂ）は、図２１（ａ）において一点鎖線２１Ａで囲まれた部分における拡大図である。
【００３３】
本実施の形態においては、プレゼンタ部４０に設けられたフラッパ５０が開くことにより、同時に記録紙搬送ガイド６０も開き、記録紙搬送ガイド６０のガイド部６０ａが下に向く。これにより、下に向いたガイド部６０ａによって、記録紙１０が搬送される方向をプレゼンタ部４０の外側に向けるようにガイドすることができ、カールが強い記録紙１０であっても、記録紙１０が折れ曲がることなく所望の撓みを形成することができる。
【００３４】
次に、第１のローラ４１の回転を停止し、フラッパ５０が開かれた状態で、図２１の状態から更に、図２２に示すようにサーマルヘッド２１により印字のなされた記録紙１０を、カッター部３０の内部を通してプレゼンタ部４０の内部に搬送する。即ち、印字のなされた記録紙１０は、プラテンローラ２２の回転により、プレゼンタ部４０に向けて更に搬送される。この状態においては、第１のローラ４１等の回転が停止し、フラッパ５０が開いているため、サーマルヘッド２１により印字のなされた記録紙１０は、カッター部３０の内部を通った後、開いているフラッパ５０よりプレゼンタ部４０の外に更に出る。このため、プレゼンタ部４０の外に出ている記録紙１０の撓みが大きくなる。尚、図２２（ｂ）は、図２２（ａ）において一点鎖線２２Ａで囲まれた部分における拡大図である。
【００３５】
次に、図２３に示すように、カッター部３０において、固定刃３１と可動刃３２により、印字のなされた記録紙１０を所望の長さで切断する。記録紙１０の一部は開いているフラッパ５０よりプレゼンタ部４０の外に出ているため、切断される記録紙１０の長さが搬送経路の長さより長い場合であっても、所望の長さで記録紙１０を切断することができる。尚、図２３（ｂ）は、図２３（ａ）において一点鎖線２３Ａで囲まれた部分における拡大図である。
【００３６】
次に、図２４に示すように、第１のローラ４１及び第３のローラ４３を回転させることにより、印字のなされた記録紙１０を排紙口４６に向けて所定の長さ搬送する。この際、記録紙１０の一部は、フラッパ５０と記録紙案内部材７０との間の搬送経路に存在している。
【００３７】
次に、図２５に示すように、印字のなされた記録紙１０が、第１の回収ボックス８１、第２の回収ボックス８２、第３の回収ボックス８３のうちの所定の回収ボックスに入れられる角度となるように、フラッパ５０を開く。具体的には、フラッパ開閉モータ５２を回転させてフラッパ５０を開くことにより、第１の回収ボックス８１、第２の回収ボックス８２、第３の回収ボックス８３のうちの所定の回収ボックスに入るようにフラッパ５０の角度を調整する。図２５においては、印字のなされた記録紙１０が、第１の回収ボックス８１に入れられるようにフラッパ５０を開く状態を示している。
【００３８】
次に、図２６に示すように、記録紙１０を所定の回収ボックスに搬送する。具体的には、搬送モータ４５を逆回転させることにより、第１のローラ４１及び第３のローラ４３を逆回転させて、記録紙１０を搬送経路の逆方向に搬送する。これにより、プレゼンタ部４０の内部の搬送経路を逆方向に搬送された記録紙１０は、フラッパ５０が開いている部分より、第１の回収ボックス８１、第２の回収ボックス８２、第３の回収ボックス８３のうちのいずれかの回収ボックスに入れられる。図２６に示される状態においては、フラッパ５０は、記録紙１０が第１の回収ボックス８１に入るような角度で開いており、記録紙１０は、フラッパ５０と記録紙案内部材７０との間を通り、第１の回収ボックス８１に搬送され収納される。尚、図２６（ｂ）は、図２６（ａ）において一点鎖線２６Ａで囲まれた部分における拡大図である。
【００３９】
本実施の形態におけるプリンタ装置は、印字のなされた記録紙１０を分類し所定の回収ボックスに回収するため、図２５に示される状態となった後に、図２６に示される状態へと移行するものであってもよい。また、図２５に示される状態となった後に、人により印字のなされた記録紙１０が抜き取られなかった場合には、図２６に示されるように、回収されるものであってもよい。
【００４０】
この後、フラッパ開閉モータ５２を逆回転させることにより、フラッパ５０を閉じる。これに伴い記録紙搬送ガイド６０も閉じられ、図１９に示される状態に戻る。この際行われるフラッパ開閉モータ５２の逆回転は、例えば、記録紙センサ５１等により記録紙１０が搬送経路に存在していないこと、即ち、記録紙１０が搬送経路から排出されていることを確認した後に行う。
【００４１】
この後、次の記録紙１０への印字がなされる場合には、上記と同様の動作が行われる。
【００４２】
以上、本発明の実施に係る形態について説明したが、上記内容は、発明の内容を限定するものではない。
【符号の説明】
【００４３】
１０        記録紙
２０        プリンタ本体部
２１        サーマルヘッド
２２        プラテンローラ
２３        搬送モータ
３０        カッター部
３１        固定刃
３２        可動刃
３３        可動刃用モータ
４０        プレゼンタ部
４１        第１のローラ
４２        第２のローラ
４３        第３のローラ
４４        第４のローラ
４５        搬送モータ
４６        排紙口
５０        フラッパ
５０ａ      回転軸
５１        記録紙センサ
５２        フラッパ開閉モータ
５２ａ      ギア
５３        第１のギア
５４        第２のギア
５５        第３のギア
５６        第４のギア
６０        記録紙搬送ガイド
６０ａ      ガイド部
６０ｂ      回転軸
６１        取り付け部材
７０        記録紙案内部材
８１        第１の回収ボックス
８１ａ      第１の回収位置検出センサ
８２        第２の回収ボックス
８２ａ      第２の回収位置検出センサ
８３        第３の回収ボックス
８３ａ      第３の回収位置検出センサ
【図１】
0006456625.tif 000002
【図２】
0006456625.tif 000003
【図３】
0006456625.tif 000004
【図４】
0006456625.tif 000005
【図５】
0006456625.tif 000006
【図６】
0006456625.tif 000007
【図７】
0006456625.tif 000008
【図８】
0006456625.tif 000009
【図９】
0006456625.tif 000010
【図１０】
0006456625.tif 000011
【図１１】
0006456625.tif 000012
【図１２】
0006456625.tif 000013
【図１３】
0006456625.tif 000014
【図１４】
0006456625.tif 000015
【図１５】
0006456625.tif 000016
【図１６】
0006456625.tif 000017
【図１７】
0006456625.tif 000018
【図１８】
0006456625.tif 000019
【図１９】
0006456625.tif 000020
【図２０】
0006456625.tif 000021
【図２１】
0006456625.tif 000022
【図２２】
0006456625.tif 000023
【図２３】
0006456625.tif 000024
【図２４】
0006456625.tif 000025
【図２５】
0006456625.tif 000026
【図２６】
0006456625.tif 000027